(57)【特許請求の範囲】
【請求項１】
コンピュータの機能を有する携帯端末を、運送業務に用いられる車両に搭載されたデジタル式運行記録計により取得された当該車両の運行データを用いて運行作業データを生成し、運行作業データを用いて作業日報を作成するセンタサーバに前記運行作業データを送信する携帯端末として機能させるプログラムであって、前記携帯端末を、
前記デジタル式運行記録計から時刻の情報を含む運行データを所定の時間間隔で受信し、それを記憶手段に格納する運行データ取得手段、
前記センタサーバに対して配送ルート情報を含む業務データの要求を送信し、その要求に係る業務データを受信し、それを前記記憶手段に格納する業務データ取得手段、
前記業務データ取得手段により取得された前記業務データに基づき、作業者が作業情報を入力するための画面を表示する表示手段、
前記携帯端末の入力手段から作業者により前記作業情報が入力されたときに、当該作業情報の入力時刻より前であって当該入力時刻に最も近い時刻の運行データを前記記憶手段から取得し、その運行データと前記作業情報とを含む運行作業データを作成し、前記センタサーバに通信ネットワークを介して送信する運行作業データ作成送信手段、
として機能させるプログラム。
【請求項２】
前記運行作業データ作成送信手段は、前記運行作業データに含める運行データとして、前記作業情報の入力時刻より前かつ当該入力時刻から所定の時間以内であって当該入力時刻に最も近い時刻の運行データを前記記憶手段から取得する請求項１に記載のプログラム。
【発明の詳細な説明】
【技術分野】
【０００１】
本発明は、車両に搭載されるデジタル式運行記録計から取得する運行データを利用して、運送事業者の作業者の運行作業情報を作成する技術に関するものである。
【背景技術】
【０００２】
運送業界では、労務管理や運行状況管理等のために、ドライバー（以下、作業者という）が作業の内容（荷物を積んだ場所／時間、荷物を降ろした場所／時間、及び走行距離等）を作業日報に記録し、1日の業務が終了したときにそれを事業所に提出するといったことが従来から行われている。また、作業者が運送作業中に高速道路料金や給油料金などを立替払いした場合において、作業者はそれがどの配送区間での支払いかなどを特定しながら作業日報への記入を行っている。しかし、作業日報の作成、管理を手作業で行うことは処理スピードや人件費増大等の観点から好ましくない。
【０００３】
運送業界では競争が激化しているとともに、燃料費の高騰等により事業運営コストが増大しており、運送事業者にはコスト削減、輸送品質の向上等が求められている。また、環境へ配慮した車両の運行も求められている。このような観点から、作業者がどのような運行作業を行っているかを、従来の作業日報を用いるよりも迅速かつ正確に、低コストで把握することが求められている。
【０００４】
一方、運行データを正確に提供すること、事故発生時において直前までの運行データを記録すること、行政による監査等に必要な資料を提供すること等を目的として、運送事業者が使用するような大型貨物自動車には運行記録計（以下、デジタル式運行記録計を対象とする）を装備することが義務付けられている。
【０００５】
ここで、作業日報の作成をデジタル式運行記録計から取得した運行データを用いて行うことにより、作業日報作成の迅速化、低コスト化を図ることが考えられる。この点に関連する従来技術として、デジタル式運行記録計から取得した運行データを用いてコンピュータで運行管理帳票を作成する技術が特許文献１に記載されている。
【０００６】
特許文献１に記載された技術では、デジタル式運行記録計の運行データが記録されたメモリカードを営業所に配置されたカード処理機に読み取らせ、読み取った運行データをパソコンから通信ネットワークを介してセンターのサーバに送信し、サーバが運行データに基づいて運行管理帳票を作成し、作成した運行管理帳票を営業所のパソコンに配信している。
【特許文献１】特開２００２−１３２８８０号公報
【発明の開示】
【発明が解決しようとする課題】
【０００７】
特許文献１をはじめとする従来の技術では、運行記録計から取得した運行データをセンターに送信し、センター側で作業者の業務予定（配送先、ルート等）と対応させて運行管理票、運行作業情報、作業日報を作成する構成としている。そのため、道路状況、配送先の都合等管理センターで事前に把握していない作業内容の変更（例えば、配送順序の変更、配送先や荷物の追加）が生じた場合などを考慮すると、どの荷物をどこでいつ積んで、その後どのくらいの距離だけ走行して、その荷物をどこでいつ降ろしたかといったデータを業務予定と運行データに基きセンター側で把握することは困難である。また、特許文献１に記載された技術では、作業者が高速道路料金や給油料金などを立替払いした場合における作業日報への記入作業の手間は何ら改善されない。
【０００８】
この様な状況から、ある作業者の運行作業情報は、作業者から報告を受けるまで、当日の実績データとして確定することが出来なかった。また、作業者にとっても変更内容を記録、入力する作業を伴い、報告が遅れることにより、荷主業者への請求にも影響する場合もある。
【０００９】
本発明は上記の点に鑑みてなされたものであり、運送事業者の作業者の作業データとデジタル式運行記録計から取得する運行データとを関連付けて運行作業データとして作業者が携帯し操作する携帯端末から取得し、当該運行作業データを編集して自動的に作業日報を作成することを可能とする技術を提供することを目的とする。
【課題を解決するための手段】
【００１０】
上記の課題を解決するために、本発明は、コンピュータの機能を有する携帯端末を、運送業務に用いられる車両に搭載されたデジタル式運行記録計により取得された当該車両の運行データを用いて運行作業データを生成し、運行作業データを用いて作業日報を作成するセンタサーバに前記運行作業データを送信する携帯端末として機能させるプログラムであって、前記携帯端末を、前記デジタル式運行記録計から時刻の情報を含む運行データを所定の時間間隔で受信し、それを記憶手段に格納する運行データ取得手段、前記センタサーバに対して配送ルート情報を含む業務データの要求を送信し、その要求に係る業務データを受信し、それを前記記憶手段に格納する業務データ取得手段、前記業務データ取得手段により取得された前記業務データに基づき、作業者が作業情報を入力するための画面を表示する表示手段、前記携帯端末の入力手段から作業者により前記作業情報が入力されたときに、当該作業情報の入力時刻より前であって当該入力時刻に最も近い時刻の運行データを前記記憶手段から取得し、その運行データと前記作業情報とを含む運行作業データを作成し、前記センタサーバに通信ネットワークを介して送信する運行作業データ作成送信手段、として機能させるプログラムとして構成される。
前記運行作業データ作成送信手段は、前記運行作業データに含める運行データとして、前記作業情報の入力時刻より前かつ当該入力時刻から所定の時間以内であって当該入力時刻に最も近い時刻の運行データを前記記憶手段から取得するようにしてもよい。
【００１１】
前記プログラムは前記携帯端末を、前記作業情報の入力に伴い作成される前記運行作業データを順次前記記憶手段に格納する手段、前記入力手段から前記作業者が立替払いをした料金の情報が入力されたときに、その情報が入力された時刻と、各配送区間における出発時刻及び到着時刻を含む前記記憶手段に格納された運行作業データとから、前記料金の立替払いが行われた配送区間を特定する手段、前記料金の情報と前記配送区間とを作業日報データの一部として出力する手段として更に機能させることとしてもよい。
【発明の効果】
【００１２】
本発明によれば、センタサーバから送信された業務データを携帯端末の記憶手段に保持しておき、その業務データが作業等の状況に応じて作業者により更新されて携帯端末の記憶手段に保持される作業データと、デジタル式運行記録計から取得する運行データ、さらには、給油料金等作業に関わる情報とを相互に関連付けた運行作業データを当該携帯端末で生成する。これにより、作業者が作業状況に合わせた当日の作業日報を簡易に作成し管理センターに送信することが可能となり、従来技術の問題点が解消される。
【００１３】
さらに、運行作業データが更新される都度、更新された情報を管理センターに送信することにより、他の車両、作業者を含めて全体の業務管理を行うセンター側では、各車両への積荷量の状況、作業状況も把握できるため、個々の作業者（車両）に対して的確な業務の追加可否判断及び携帯端末を通じての業務指示（業務データの更新）が可能となる。
【発明を実施するための最良の形態】
【００１４】
以下、図面を参照して本発明の実施の形態について説明する。
【００１５】
＜第１の実施の形態＞
（装置構成）
図１に本発明の第１の実施の形態における運行作業情報管理システムの構成図を示す。図１に示すように、本実施の形態における運行作業情報管理システムは、車両に搭載されるデジタル式運行記録計１と、デジタル式運行記録計１と変換アダプタ２を介して無線で接続される携帯端末３と、センタサーバ４と、ビューワ端末５とを有している。携帯端末３、センタサーバ４、及びビューワ端末５はインターネット等の通信ネットワーク６に接続することができる。また、携帯端末３は、デジタル式運行記録計１が搭載される車両の運転手である作業者が携帯する端末である。
【００１６】
デジタル式運行記録計１は、現在普及している一般的なものである。図２にデジタル式運行記録計１と変換アダプタ２の機能ブロックの一例を示す。
【００１７】
図２に示すように、デジタル式運行記録計１は、車両の走行センサ等から車両の運行データを取得する運行データ取得部１１と、デジタル式運行記録計１としての動作を行うために必要な制御を行う制御部１２と、運行データを記録する運行データ記録部１３と、外部との通信を行うための有線インターフェース部１４を有している。有線インターフェース部１４は、例えばＲＳ２３２Ｃ規格に準拠した通信機能を有する装置として構成できる。
【００１８】
変換アダプタ２は、デジタル式運行記録計１との通信を行うための有線インターフェース部２１と、携帯端末３との無線通信を行うための無線インターフェース部２２と、デジタル式運行記録計から受信したデータを、携帯端末への送信に適したデータに変換したり、その逆の変換を行うためのデータ変換部２３とを有する。
【００１９】
有線インタフェース部２１は、デジタル式運行記録計１の有線インタフェース部１４に対応するものであり、デジタル式運行記録計１の有線インタフェース部１４と同様に例えばＲＳ２３２Ｃ規格に準拠した通信機能を有する装置として構成できる。また、無線インターフェース部２２は、例えばBluetoothの規格に準拠した通信機能を有する装置として構成できる。
【００２０】
図３に、携帯端末３の機能ブロック図を示す。図３に示すように、本実施の形態の携帯端末３は、ネットワーク通信機能部３０と、無線インターフェース部３１と、表示部３２と、入力部３３と、データ記憶部３４と、業務データ取得部３５と、運行データ取得部３６と、表示入力制御部３７と、運行作業データ作成送信部３８とを有する。
【００２１】
ネットワーク通信機能部３０は、通信ネットワーク６を介してデータ通信を行うための機能部であり、無線インターフェース部３１は変換アダプタ２との通信を行う機能部である。また、記憶部３４は、業務データ、運行データ、入力データ、運行作業データ等の種々のデータを記憶する。表示部３２はユーザに対して情報を表示し、入力部３３はユーザからの入力を受ける機能部である。業務データ取得部３５は、センタサーバ４から業務データを取得し、それを記憶部３４に格納する。
【００２２】
運行データ取得部３６は、デジタル式運行記録計１から変換アダプタ２を介して運行データを受信し、それを記憶部３４に格納する。表示入力制御部３７は、業務データや入力情報に基づき表示する情報を決定し、表示部３２に表示したり、入力情報に基づき運行作業データの作成送信を運行作業データ作成送信部３８に指示したり、入力情報に基づき業務データ取得部３５に業務データの取得を指示したりする機能部である。運行作業データ作成送信部３８は、運行データと作業情報を用いて運行作業データを作成し、センタサーバ４に送信する機能部である。
【００２３】
携帯端末３としては、例えば既存の携帯電話機に、表示入力制御部、運行作業データ作成送信部、業務データ取得部、運行データ取得部等の機能を実現するためのプログラムをアプリケーションとして搭載したものを用いることができる。なお、携帯端末３は、ＣＰＵ，メモリ等を含むコンピュータの構成を有している。  
また、当該プログラムは、ネットワークを介してダウンロードして装置にインストールしてもよいし、メモリやCD-ROM等の記録媒体から読み出してインストールすることとしてもよい。この点は他の装置及び他の実施形態でも同様である。
【００２４】
図４に、センタサーバ４の機能ブロック図を示す。図４に示すように、本実施の形態におけるセンタサーバ４は、通信ネットワーク６を介してデータ通信を行うためのネットワーク通信機能部４１、運行作業データを携帯端末３から受信し、記憶部４２に格納する運行作業データ取得部４３、携帯端末３からの要求に基づき、業務データを送信する業務データ送信部４４、業務データ、運行作業データ及び作業日報データを記憶する記憶部４２、及び業務データと運行作業データとから作業日報データを作成し、記憶部４２に格納するとともに、ビューワ端末５からの要求に応じて、作業日報データを送信する作業日報データ作成送信部４５を有する。
【００２５】
センタサーバ４は、CPU、メモリ等を有する一般的なコンピュータを用いて実現でき、当該コンピュータに業務データ送信部、運行作業データ取得部、及び作業日報データ作成送信部の機能を実現させるためのプログラムが搭載されることにより、センタサーバ４としての機能が実現する。ビューワ端末５は、センタサーバ５から取得した作業日報データを表示する機能を有する一般的なコンピュータである。
【００２６】
なお、携帯端末３の構成は上述した構成に限定されるものではない。例えば、下記のような構成とすることができる。
【００２７】
つまり、当該携帯端末は、運送業務に用いられる車両に搭載されたデジタル式運行記録計により取得された当該車両の運行データを用いて運行作業データを生成し、運行作業データを用いて作業日報を作成するセンタサーバに前記運行作業データを送信する携帯端末であり、前記デジタル式運行記録計から時刻の情報を含む運行データを所定の時間間隔で受信し、それを記憶手段に格納する運行データ取得手段と、前記センタサーバに対して配送ルート情報を含む業務データの要求を送信し、その要求に係る業務データを受信し、それを前記記憶手段に格納する業務データ取得手段と、前記業務データ取得手段により取得された前記業務データに基づき、作業者が作業情報を入力するための画面を表示する表示手段と、前記携帯端末の入力手段から作業者により前記作業情報が入力されたときに、当該作業情報の入力時刻より前であって当該入力時刻に最も近い時刻の運行データを前記記憶手段から取得し、その運行データと前記作業情報とを含む運行作業データを作成し、前記センタサーバに通信ネットワークを介して送信する運行作業データ作成送信手段とを備えるものとして構成できる。
【００２８】
（システムの動作）
次に、本実施の形態における運行作業情報管理システムの動作を説明する。まず、本実施の形態におけるシステム全体の処理の流れを図５のシーケンスチャートを参照して説明する。
【００２９】
このシーケンスにおいて、携帯端末３は１秒間隔でデジタル式運行記録計１に運行データを要求し、デジタル式運行記録計１から運行データを受信し、記憶部３４に格納することを継続して行っているものとする。なお、携帯端末３は、記憶部３４に格納した運行データのうち予め定めた時間が経過したものを順次削除することとしてもよい。
【００３０】
まず、携帯端末３は、作業者による作業者ID、車両ID等の入力に基づき、センタサーバ４に対して業務データを要求し（ステップ１）、センタサーバ４は受信した作業者IDに対応するその日の業務データを携帯端末３に送信し、携帯端末３がそれを受信し、記憶部３４に格納する（ステップ２）。なお、センタサーバ４側で作業者と車両とが一意に対応付けられている場合は、ステップ１において車両IDを送信する必要はない。
【００３１】
携帯端末３は、業務データを用いた表示入力制御部３４による制御に基づき、例えば作業者の作業内容等をメニュー形式で示した画面を表示する。作業者が画面を見て、これから行う作業内容（例えば、"出発"）を入力部３３を用いて選択し、決定キーを押すと（ステップ３）、携帯端末３は、その時点に対応する運行データを取得し、作業内容や作業者IDとともにセンタサーバ４に送信する（ステップ４）。作業内容のデータとそれに対応する運行データをまとめて運行作業データと呼ぶ。
【００３２】
運行作業データを受信したセンタサーバ４では、携帯端末３から受信する運行作業データを順次記憶部４２に格納しておく。順次記憶部４２に格納することは運行作業データを更新することに相当する。センタサーバ４がビューワ端末５からの要求を受信すると（ステップ５）、センタサーバ４は運行作業データと業務データとを用いて作業日報データを作成し（ステップ６）、ビューワ端末５に送信する（ステップ７）。ビューワ端末５には作業日報が表示される。もちろん、センタサーバ４は、携帯端末３から運行作業データを受信した時点で順次作業日報データを作成し、格納しておき、要求を受けたら作業日報データを送信することとしてもよい。また、携帯端末３がビューワ端末５の１つとして機能してもよい。この場合、携帯端末３に作業日報の内容が表示される。
【００３３】
なお、本明細書及び特許請求の範囲において、作業日報とは、運行作業データから算出したデータ（走行距離等）を含むデータであるものとする。つまり、作業日報は、１日の作業内容を表すものばかりでなく、１日の作業の途中経過を示すものや、１日以上の作業内容をまとめたものも含む。
【００３４】
次に、携帯端末３での処理をより詳細に説明する。
【００３５】
図６に、携帯端末３がデジタル式運行記録計１から受信するデータの内容例を示す。図６に示すように、運行データは、現在の時刻、累積走行距離、現在の速度を含む。図６に示す運行データが１秒毎に順次携帯端末３の記憶部３４に蓄積されていく。
【００３６】
図７に、携帯端末３がセンタサーバ４から受信する業務データの内容例を示す。図７に示す例では、該当の作業者が当日に行う配送作業の内容として、業務データは配送ID、出発地、到着地を含む。配送IDは、配送すべき荷物に対応付けられており、出発地と到着地の組（配送区間という）に対して複数あってもよい。なお、センタサーバ４では、配送IDに対応付けて荷物に関する詳細情報を有している。
【００３７】
本実施形態の運行作業管理という観点では、携帯端末３がセンタサーバ４から受信する業務データに荷積情報（荷主、荷物名、数、重量等）や荷卸情報を含める必要はないが、含めてもよい。
【００３８】
また、図７に示す例では、業務データの並べられた順番が配送ルートを示している。つまり、図７に示す例は、作業者が事務所A−＞地点B−＞地点C−＞地点D−＞事務所Aのルートで運行を行うことを示している。
【００３９】
次に、図８のフローチャートを用いて、携帯端末３の処理の基本的な流れを説明する。
【００４０】
作業者が作業者IDと車両IDを入力することにより、携帯端末３は作業者IDと車両IDを含む業務データ要求をセンタサーバ４に送信する（ステップ１１）。携帯端末３はセンタサーバ４から業務データを受信し、格納する（ステップ１２）。
【００４１】
次に、携帯端末３は例えば図９に示すような画面を表示する（ステップ１３）。図９に示す画面は、作業内容（"出発"等も作業に含むものとする）をボタンで示しており、作業者がある作業を行う際、それに対応するボタンを選択し、決定ボタンを押す。
【００４２】
図８のステップ１３の後、作業者が作業を選択すると、携帯端末３の運行作業データ作成送信部３８は、表示入力制御部３７を介して、その作業を示すデータを受ける（ステップ１４）。そして、運行作業データ作成送信部３８は、データ入力を受けた時刻（この時点の現在時刻でよい）と、記憶部３４に格納されている運行データに含まれる時刻とを比較し、データ入力を受けた時刻より前の時刻であってデータ入力を受けた時刻に最も近い時刻を持つ運行データを記憶部３４から取得する（ステップ１５）。ただし、データ入力を受けた時刻と、取得された運行データの時刻とが所定の時間以上離れている場合にはエラー処理を行う（ステップ１６、１７）。エラー処理としては例えば正常に運行データが取得できていない旨を示す画面表示を行う。なお、上記データ入力を受けた時刻は、ユーザが決定ボタンを押した時刻と見なすことができる。
【００４３】
ステップ１６のYesの後、運行作業データ作成送信部３８は、ステップ１５において取得した運行データと、ステップ１４において入力されたデータ（作業情報）と作業者IDとを組にしたデータを運行作業データとしてセンタサーバ４に送信する（ステップ１８）。その後、携帯端末３は図９に示した画面を表示する。次に具体例を説明する。
【００４４】
例えば、１日の作業の開始時に、図９の画面表示において、作業者が"出発"を選択し、決定キーを押すと、"出発"を示すデータを表示入力制御部３７が取得する。表示入力制御部３７は、記憶部３４に格納されている業務データから、最初の地点である事業所Aからの出発であることを認識し、事業所Aと出発を示すデータを運行作業データ作成送信部３に渡す。当該データの入力を受けた運行作業データ作成送信部３８は、データ入力を受けた時刻と、記憶部３４に格納されている運行データに含まれる時刻とを比較し、データ入力を受けた時刻より前の時刻であってデータ入力を受けた時刻に最も近い時刻を持つ運行データを記憶部３４から取得する。そして、運行作業データ作成送信部３８は、取得した運行データと作業者IDと事業所Aからの出発であることを示すデータとをセンタサーバ４に送信する。また、携帯端末３は、データ入力の情報（事業所Aからの出発であることを示すデータ）を記憶部３４に記憶する。なお、この運行作業データに含まれる時刻は出発時刻と見なすことができる。
【００４５】
なお、"出発"が選択された後、表示入力制御部３７が業務データを参照して、地点のリストを表示し、その中から作業者に実際の出発地点を選択させるようにしてもよい。
【００４６】
その後、車両が地点Bに到着したものとする。作業者は、図９に示す画面から"到着"を選択し、決定キーを押す。携帯端末３の表示入力制御部３７は、直前の入力内容が事業所Aからの出発であることを記憶部３４に記憶されたデータから確認し、図７に示す業務データから、事業所Aにおいて出発した後の"到着"に対応する地点Ｂを示すデータを取得し、地点Ｂと到着を示すデータを運行作業データ作成送信部３８に送り、運行作業データ作成送信部３８は、データ入力を受けた時刻と、記憶部３４に格納されている運行データに含まれる時刻とを比較し、データ入力を受けた時刻より前の時刻であってデータ入力を受けた時刻に最も近い時刻を持つ運行データを記憶部３４から取得し、送信を行う。なお、この運行作業データに含まれる時刻は到着時刻と見なすことができる。
【００４７】
上記の処理において、"到着"が選択された後に、表示入力制御部３７が業務データに基づき地点名を複数含むリストを表示し、これらの中から適切なものを作業者に選択させ、選択された情報を運行作業データ作成送信部３８に渡すこととしてもよい。
【００４８】
また、作業内容が選択される前に上記リストを表示し、作業者に選択させ、その後に後に作業内容を選択させ、選択された情報を運行作業データ作成送信部３８に送ることとしてもよい。また、リストを表示する代わりに、作業者が地点等を直接入力することとしてもよい。
【００４９】
地点Ｂにおける荷卸等が終了し、次の地点に出発しようとする作業者は、携帯端末３から出発を選択し、決定キーを押す。表示入力制御部３７は、記憶部３４に記憶された情報に基づき、地点Bに到着した後の出発であるから今回の出発は地点Bからの出発であると判断し、地点Ｂからの出発であることを示す情報と、決定キーを押した時刻に対応する運行データと作業者ＩＤとがセンタサーバ４に送られる。
【００５０】
また、例えば、図９に示す画面表示において休憩開始が選択されたときには、休憩開始を示す情報とそのときの運行データと作業者ＩＤが携帯端末３からセンタサーバ４に送信され、休憩終了が選択されたときには、休憩終了を示す情報とそのときの運行データと作業者ＩＤが携帯端末３からセンタサーバ４に送信される。なお、休憩開始と休憩終了については、運行データを送信せずに、代わりに携帯端末３自身が取得した時刻情報をセンタサーバ４に送信することとしてもよい。
【００５１】
また、図９に示す画面表示において、"給油"が選択された場合には、携帯端末３は、例えばどこの給油所で何リットル給油したかを作業者に入力される画面を表示し、入力された情報（給油量、料金等）をそのときの運行データとともにセンタサーバ４に送信する。また、入力された情報をそのときの運行データとともにセンタサーバ４に送信することに代えて、入力された情報と、その情報が入力された時刻（携帯端末３の内部で取得される時刻）とを運行作業データとしてセンタサーバ４に送信することとしてもよい。また、携帯端末３の表示入力制御部３７は、表示部３２に高速道路の料金（作業者が立替て支払い、後で運送事業者に請求する料金の例である）を入力させる画面を表示し、作業者が、高速道路の料金を支払ったとき等にその画面から高速道路の料金を入力することとしてもよい。この場合、高速道路の料金の入力を受けた携帯端末３は、入力された情報をそのときの運行データとともにセンタサーバ４に送信してもよいし、入力された情報と、その情報が入力された時刻（携帯端末３の内部で取得される時刻）とを運行作業データとしてセンタサーバ４に送信することとしてもよい。
【００５２】
なお、作業者からの入力の有無に関わらず、携帯端末３はセンタサーバ４に対して定期的に運行データと作業者IDを送信することとしてもよい。これにより、例えば、センタサーバ４では、ある地点から出発した車両が、目的地に向けてどの程度の距離を走行したのかを把握できる。
【００５３】
次に、センタサーバ４の動作について説明する。まず、センタサーバ４が、携帯端末３から受信した運行作業データに基づき作業日報データの算出を行う概念について図１０を用いて説明する。
【００５４】
図１０は、車両の出庫から帰庫までの運行経過の例を示す図である。図中、Ｘは、運行データに含まれる総走行距離（走行メータの値）を示している。事業所Aからの出発時の総走行距離を、地点Ｂに到着した時点の総走行距離から減算することにより、事業所Ａから地点Ｂまでの走行距離を計算することができる。また、出発時刻を地点Ｂに到着した時刻から減算することにより事業所Ａから地点Ｂまでの走行に要した時間が算出でき、また、上記走行距離を当該時間で割ることにより、事業所Ａから地点Ｂまでの走行における平均速度を算出することができる。これらのことは、ある地点から出発し、ある地点に到着する全ての場合に適用できるものである。
【００５５】
また、地点Ｂに到着した時刻を、地点Ｂから出発した時刻から減算することにより、地点Ｂでの作業時間を算出できる。また、休憩開始時刻から、休憩終了時刻を減算することにより休憩時間を算出できる。
【００５６】
更に、図示してはいないが、ある給油ポイントでの給油量を、前回の給油ポイントから消費された燃料の量であるとみなすことにより、前回の給油ポイントにおける総走行距離と今回の給油ポイントにおける総走行距離を用いて、給油ポイント間の距離を求め、それから燃費（走行距離／給油量）を算出することができる。
【００５７】
また、高速道路の料金等の立替払い料金が携帯端末３に入力された時刻を用いることにより、どの配送区間で立替払い料金の支払いが行われたかを特定できる。例えば、図１０の例では、センタサーバ４が、立替払い料金の入力時刻がＢ地点の出発時刻とＣ地点の到着時刻との間であると判定した場合には、その立替払い料金の支払いは、Ｂ地点からＣ地点の配送区間でなされたことを特定でき、センタサーバ４は、その立替払い料金の情報と、それに対応する配送区間の情報とを作業日報データとして出力できる。
【００５８】
次に、図１１のフローチャートを参照してセンタサーバ４における作業日報作成処理について説明する。このフローの前提として、センタサーバ４はある作業者ＩＤの作業者の一日分の運行作業データを受信し、記憶部４２に格納しているものとする。図１２に、センタサーバ４が携帯端末３から受信して、記憶部４２に格納する運行作業データの例を示す。また、ビューワ端末５から作業日報の取得要求を受けた時点で作業日報を作成することとしている。また、センタサーバ４は、作業者ＩＤ毎に、図７に示すデータに更に荷物情報等の情報を付加した業務データを記憶部４２に格納している。
【００５９】
図１１において、センタサーバ４が、ビューワ端末５から特定の作業者ＩＤと日を含む作業日報作成要求を受信する（ステップ２１）。センタサーバ４の作業日報データ作成送信部４５は、当該作業者ＩＤと日に対応する運行作業データを記憶部４２から取得するとともに、作業日報に表示する荷物情報等のデータを、運行作業データに含まれる配送IDを用いて必要に応じて記憶部４２から取得する（ステップ２２）。そして、作業日報データ作成送信部４５は、図１０を用いて説明した算出方法に基づき、各種の情報を算出し、作業日報データを作成し、それをビューワ端末５に送信する（ステップ２３）。
【００６０】
図１３に、ビューワ端末５に表示される作業日報の一例を示す。また、図１４に示すように、時刻と作業とを対応付けた形式の作業日報データを作成し、表示することもできる。  図１３、１４の例は、一日の作業が終わった後に作業日報を表示する例であるが、一日の作業の途中で作業日報を表示することも可能である。この場合にビューワ端末５に表示される画面の一例を図１５に示す。図１５に示すように、ある出発地点から到着地点に向けて運行中であることがステータスとして示される。
【００６１】
この場合、作業日報の要求を受信したセンタサーバ４は、作業者IDに対応する業務データを用いて、運行データを用いて作成される走行距離等を除いた画面データを作成し、ビューワ端末５に送信するとともに、運行作業データを受信する度に、その運行作業データに関連する部分を更新した画面データを送信する。例えば、センタサーバ４が携帯端末３から、地点Aからの出発を示す運行作業データを受信したときに、地点Aから地点Bへ運行中であることを示す画面データを作成して送信する。また、地点Aから地点Bに到着したことを示す運行作業データを受信した場合は、走行距離等を算出して、その情報を含む画面データをビューワ端末５に送信する。また、センタサーバ４が、携帯端末３から運行データを定期的に受信する場合には、ある地点からある地点へ運行中であることを示す情報とともに、現在の走行距離と速度も表示できる。これにより、ビューワ端末５ではリアルタイムに作業者の運行状況を把握できる。
【００６２】
なお、携帯端末３にGPS装置を接続し、携帯端末が位置情報を取得し、その位置情報を運行作業データに含めて送信する、もしくは位置情報と作業者IDのみを定期的にセンタサーバ４に送信することとしてもよい。これにより、センタサーバ４では、車両の運行を示す地図情報を作成することができる。また、センタサーバ４が各地点のエリア情報を保持しておくことにより、センタサーバ４は携帯端末３から受信した位置情報とエリア情報とを比較し、車両の位置が所定のエリアの範囲内であれば、車両がそのエリア情報に対応する地点に到達したことの判断を行うことが可能となる。
【００６３】
＜第２の実施の形態＞
上記の処理においては、携帯端末３は、作業情報と運行データとを組にした運行作業データをセンタサーバ４に送信することとしているが、携帯端末３が作業日報データを作成し、その作業日報データをセンタサーバ４に送信することとしてもよい。それ以外の機能は第１の実施の形態と同じである。
【００６４】
例えば、携帯端末３は、地点Aから出発するときにこれまでに説明した方法で運行作業データを作成し、それを記憶部３４に記憶しておく。そして、到着地である地点Bに到着したときに、これまでに説明した方法で運行作業データを作成し、格納するとともに、以前に記憶しておいた運行作業データを用いて地点Aと地点B間の走行距離及び平均速度等を計算し、計算したデータと運行作業データとをセンタサーバ４に送信することとしてもよい。この場合、計算したデータと運行作業データとを合わせて作業日報データと称することができる。
【００６５】
また、本実施形態の携帯端末３は、作業者から入力され記憶部３４に記憶されている立替払い料金の情報と、その入力時刻とを記憶部３４から読み出し、当該入力時刻と、既に取得した運行作業データとしての各配送区間（地点Ｂと地点Ｃ間等）の出発時刻及び到着時刻とを比較し、入力時刻が出発時刻より後で到着時刻より前となる配送区間を特定し、立替払い料金の情報と当該配送区間の情報（出発地点名と到着地点名、区間の識別情報等）とを作業日報データとして表示部３２又はセンタサーバ４に出力できる。  
第２の実施の形態の携帯端末３の機能構成を図１６に示す。図１６に示す構成は、図３の構成と比較して、作業日報データ作成送信部３９が追加された点が異なる。作業日報データ作成送信部３９が作業日報データを作成し、運行作業データとともにセンタサーバ４に送信する。また、作成した作業日報データを表示部３２に表示してもよい。この携帯端末３の機能もプログラムにより実現できるものである。
【００６６】
また、携帯端末３を、第１の実施の形態に示した携帯端末３の構成に加えて、本実施の形態で説明した作業日報データ作成送信部３９を追加した構成としてもよい。この場合、第１の実施の形態に示した携帯端末３の構成に加えて、携帯端末３は、少なくとも、作業情報の入力に伴い作成される運行作業データを順次記憶手段に格納する手段と、携帯端末３の入力手段から作業者が立替払いした料金の情報が入力されたときに、その入力時刻と、各配送区間における出発時刻及び到着時刻を含む前記記憶手段に格納された運行作業データとから、前記料金の立替払いが行われた配送区間を特定する手段と、前記料金の情報と前記配送区間とを作業日報データとして出力する手段とを備える。また、これらの手段はプログラムを用いて実現できる。
【００６７】
＜第３の実施の形態＞
また、これまでに説明した構成に代えて、デジタル式運行記録計１にデータ送信装置を接続し、そのデータ送信装置が定期的（例えば１秒毎）に運行データを取得して、その運行データをセンタサーバ４に送信するとともに、携帯端末３はデジタル式運行記録計１から運行データを取得することをせずに、作業者から入力された情報に基づく作業情報のみをセンタサーバ４に送信することとしてもよい。
【００６８】
第３の実施の形態におけるセンタサーバ４の機能構成を図１７に示す。図１７に示すように、この構成は、図４に示す構成と比較して、運行作業データ取得部４３がデータ取得部４６になり、運行作業データ作成部４７が加えられている。
【００６９】
図１７において、データ取得部４６は、デジタル式運行記録計１から運行データを取得するとともに、携帯端末３から作業情報（第１の実施の形態における運行作業データから運行データを除いたもの）を取得し、記憶部４２に順次格納する。運行作業データ作成部４７は、データ取得部４６が携帯端末３から作業情報を取得したことに応じて、第１の実施の形態における携帯端末３の運行作業データ作成送信部３８と同じ手順（図８に示すステップ１５〜ステップ１８）で運行作業データを作成し、記憶部４２に格納する。
【００７０】
つまり、運行作業データ作成部４７は、データ取得部４６から記憶部４２に作業情報が格納されたことを検知すると、その時刻（この時点の現在時刻でよい）と、記憶部４２に格納されている運行データに含まれる時刻とを比較し、作業情報入力を受けた時刻より前の時刻であってデータ入力を受けた時刻に最も近い時刻を持つ運行データを記憶部４２から取得する。そして、運行作業データ作成部４７は、取得した運行データと作業情報と作業者IDとを組にしたデータを運行作業データとして記憶部４２に格納する。ただし、図８に示したエラー処理については、運行作業データ作成部４７は画面表示等は行わず、運行データを含めない処理を行う等して、処理が中断しないようにする。
【００７１】
業務データ送信部４４及び作業日報データ作成送信部４５は第１の実施の形態と同様である。本実施の形態におけるセンタサーバ４も、各機能部の機能をコンピュータに実行させるプログラムを当該コンピュータに搭載することにより実現できる。
【００７２】
なお、第２の実施の形態の携帯端末３、及び第３の実施の形態のセンタサーバ４はそれぞれ、下記の作業日報作成装置に対応するものである。
【００７３】
つまり、当該作業日報作成装置は、運送業務に用いられる車両に搭載されたデジタル式運行記録計により取得された当該車両の運行データを用いて運行作業データを生成し、運行作業データを用いて作業日報を作成する作業日報作成装置であって、前記デジタル式運行記録計から時刻の情報を含む運行データを所定の時間間隔で受信し、それを記憶手段に格納する運行データ取得手段と、外部から作業情報が入力されたときに、当該作業情報の入力時刻より前であって当該入力時刻に最も近い時刻の運行データを前記記憶手段から取得し、その運行データと前記作業情報とを含む運行作業データを前記記憶手段に格納する運行作業データ作成手段と、前記運行作業データ作成手段により作成された運行作業データを用いて作業日報データを作成する作業日報データ作成手段とを備えるものである。
【００７４】
また、作業日報データ作成手段は、作業者が立替払いをした料金の情報が作業情報として入力されたときに、その入力時刻と、各配送区間における出発時刻及び到着時刻を含む前記記憶手段に格納された運行作業データとから、前記料金の立替払いが行われた配送区間を特定する手段と、前記料金の情報と前記配送区間とを作業日報データとして出力する手段を備えてもよい。
【００７５】
前記運行作業データは、出発地点、到着地点、及び各地点における前記車両の総走行距離を含み、前記作業日報作成装置は、前記総走行距離を用いて出発地点と到着地点との間の走行距離を算出し、少なくとも当該走行距離を含む作業日報データを作成するようにしてもよい。
【００７６】
また、当該作業日報作成装置は、コンピュータを、運送業務に用いられる車両に搭載されたデジタル式運行記録計により取得された当該車両の運行データを用いて運行作業データを生成し、運行作業データを用いて作業日報を作成する作業日報作成装置として機能させるプログラムを搭載することにより実現することが可能である。当該プログラムは、前記コンピュータを、前記デジタル式運行記録計から時刻の情報を含む運行データを所定の時間間隔で受信し、それを記憶手段に格納する運行データ取得手段、外部から作業情報が入力されたときに、当該作業情報の入力時刻より前であって当該入力時刻に最も近い時刻の運行データを前記記憶手段から取得し、その運行データと前記作業情報とを含む運行作業データを前記記憶手段に格納する運行作業データ作成手段、前記運行作業データ作成手段により作成された運行作業データを用いて作業日報データを作成する作業日報データ作成手段、として機能させるプログラムである。
【００７７】
以上説明したように、本発明の各実施の形態で説明したシステムによれば、運送事業者の作業者の作業データとデジタル式運行記録計から取得する運行データとを関連付けた運行作業データをリアルタイムに取得することが可能となり、これを用いることにより作業日報を人手をかけることなく低コストで迅速に作成できる。
【００７８】
なお、本発明は、上記の実施の形態に限定されることなく、特許請求の範囲内において、種々変更・応用が可能である。    
【図面の簡単な説明】
【００７９】
【図１】第１の実施の形態における運行作業情報管理システムの構成図である。
【図２】デジタル式運行記録計１と変換アダプタ２の機能ブロック図である。
【図３】第１の実施の形態における携帯端末３の機能ブロック図である。
【図４】第１の実施の形態におけるセンタサーバ４の機能ブロック図である。
【図５】第１の実施の形態におけるシステム全体の処理の流れを示すシーケンスチャートである。
【図６】携帯端末３がデジタル式運行記録計１から受信するデータの内容例を示す図である。
【図７】携帯端末３がセンタサーバ４から受信する業務データの内容例を示す図である。
【図８】第１の実施の形態における携帯端末３の処理な流れを示すフローチャートである。
【図９】携帯端末３が表示する画面の例を示す図である。
【図１０】運行作業データに基づき作業日報データの算出を行う例を説明するための図である。
【図１１】第１の実施の形態におけるセンタサーバ４の作業日報作成処理を示すフローチャートである。
【図１２】センタサーバ４が携帯端末３から受信して、記憶部４２に格納する運行作業データの例を示す図である。
【図１３】ビューワ端末５に表示される作業日報の一例を示す図である。
【図１４】ビューワ端末５に表示される作業日報の他の例を示す図である。
【図１５】ステータスを含む作業日報の例を示す図である。
【図１６】第２の実施の形態における携帯端末３の機能構成図である。
【図１７】第３の実施の形態におけるセンタサーバ４の機能構成図である。
【符号の説明】
【００８０】
１  デジタル式運行記録計
２  変換アダプタ
３  携帯端末
４  センタサーバ
５  ビューワ端末
１１  運行データ取得部
１２  制御部
１３  運行データ記録部
１４  有線インターフェース部
２１  有線インターフェース部
２２  無線インターフェース部
２３  データ変換部
３０  ネットワーク通信機能部
３１  無線インターフェース部
３２  表示部
３３  入力部
３４  データ記憶部
３５  業務データ取得部
３６  運行データ取得部
３７  表示入力制御部
３８  運行作業データ作成送信部／運行作業データ作成部
３９  作業日報データ作成送信部
４１  ネットワーク通信機能部
４２  記憶部
４３  運行作業データ取得部
４４  業務データ送信部
４５  作業日報データ作成送信部
４６  データ取得部
４７  運行作業データ作成部
【図１】
0005016458.tif 000002
【図２】
0005016458.tif 000003
【図３】
0005016458.tif 000004
【図４】
0005016458.tif 000005
【図５】
0005016458.tif 000006
【図６】
0005016458.tif 000007
【図７】
0005016458.tif 000008
【図８】
0005016458.tif 000009
【図９】
0005016458.tif 000010
【図１０】
0005016458.tif 000011
【図１１】
0005016458.tif 000012
【図１２】
0005016458.tif 000013
【図１３】
0005016458.tif 000014
【図１４】
0005016458.tif 000015
【図１５】
0005016458.tif 000016
【図１６】
0005016458.tif 000017
【図１７】
0005016458.tif 000018